(57)【特許請求の範囲】
【請求項１】
リヨセル繊維と反応してそのフィブリル化に対する耐性を高めるための繊維助剤である危険な粉末固体の溶媒溶液を調製することにより、該危険な粉末固体を安全に取り扱うための方法であって、（１）（ａ）液体、（ｂ）該液体中に粉末の形で分散している該固体、および（ｃ）該液体中に溶解している高分子バインダー、を含む分散液を形成する工程、並びに（２）該分散液を、該粉末が該液体中に溶解するような条件下で、該溶媒と混合する工程を包含し、さらに該高分子バインダーが、該分散液が乾燥された際に該高分子バインダーにより該粉末の実質的にすべてが保持されるような濃度で存在することを特徴とする方法。
【請求項２】
上記液体と上記溶媒とが、同一の物質または物質の混合物であることを特徴とする、請求項１に記載の方法。
【請求項３】
上記固体が1,3,5-トリアクリロイルヘキサヒドロ-1,3,5-トリアジンであることを特徴とする、請求項１または２に記載の方法。
【請求項４】
上記液体が水を少なくとも大部分含んでいること、および上記高分子バインダーが水溶性ポリマーであることを特徴とする、請求項１〜３のいずれか１項に記載の方法。
【請求項５】
上記分散液が高分子バインダーを0.1〜5.0質量パーセント含むことを特徴とする、請求項１〜４のいずれか１項に記載の方法。
【請求項６】
上記粉末が10〜400μｍの範囲にある数平均粒径を有する粒子からなることを特徴とする、請求項１〜５のいずれか１項に記載の方法。
【請求項７】
上記高分子バインダーが皮膜形成ポリマーであることを特徴とする、請求項１〜６のいずれか１項に記載の方法。
【請求項８】
上記高分子バインダーが80〜99.9質量パーセントの皮膜形成ポリマーと0.1〜20質量パーセントの天然多糖類ガムとを含むことを特徴とする、請求項１〜６のいずれか１項に記載の方法。
【請求項９】
上記皮膜形成ポリマーが、周囲温度において低剪断条件下で測定される２％溶液の粘度が１〜20mPa・sの範囲にあるセルロースエーテルであることを特徴とする、請求項８に記載の方法。
【請求項１０】
上記分散液における固体の量が20〜60質量パーセントの範囲にあることを特徴とする、請求項１〜９のいずれか１項に記載の方法。
【請求項１１】
上記粉末が２：１〜100：１の範囲にあるアスペクト比を有する粒子からなることを特徴とする、請求項１〜１０のいずれか１項に記載の方法。
【発明の詳細な説明】
発明の背景
本発明は、液体中における粉末のペースト、スラリー、および分散液に関し、とりわけこのような物質の溶液の調製の間の、粉末固体の安全な取り扱いのための方法と特別の関連を有する。
工程段階への粉末固体の流れを測定し、制御することが必要であることが多い。特に、微粉末を高い割合で含んでいる粉末には、大気中に容易に分散し、粉塵形成の問題を生ずることがあるものもあるということが知られている。このことは、有毒物質については特に問題となることがある。粉末固体には、発火または爆発しやすいものもあるということもまた知られている。さらに、粉末固体には、例えばスクリューフィーダーを使用して計量する場合に、取り扱いが困難なものもあるということも知られている。貯蔵および輸送を容易にし、このような問題を軽減するために、好適な液体中に粉末を分散し、ペースト、スラリー、または分散液（このような固体／液体の混合物は、これ以降は、すべて分散液と称する）を形成するのが好都合なこともある。その液体は、工程液、例えばその溶媒（その固体の溶液を形成することが望ましい場合）か、またはその固体が導入されるべき工程段階においてか、もしくはその後に必要とされる何か他の液体のいずれかであることが多く、かつ好都合である。他の場合には、不活性の液体、もしくは後に蒸発によりその工程から除去することができる揮発性の液体を使用してもよい。
分散液には、上記固体が上記液体により容易に湿潤されないために、形成が困難なものもある。分散液中に湿潤剤を包含させて、この困難を軽減することが知られている。分散液には、不安定で、貯蔵時、または、その分散液が剪断力に付される際に、例えばポンプ輸送中に、その固体および液体の相が分離しがちなものもある。分散液中に分散剤を包含させて、このような分離を抑制することが知られている。例えば、分散剤を含む、繊維助剤である1,3,5-トリアクリロイルヘキサヒドロ-1,3,5-トリアジン（ＴＡＨＴ）の水性分散液は、D M Lewis他により、Journal of the Society of Dyers and Colourists, Volume 111, January/February 1995, pages 12-18において説明されている。
それにもかかわらず、このような分散液が乾固するかもしれないという危険性は常に存在する。このことは、例えば跳ね掛けのために、または管および容器中の残渣のために起こることがある。このことが起こると、乾燥粉末の取り扱いに伴うあらゆる危険が再発する可能性がある。このような問題に対する防止手段を提供することが本発明の目的である。
発明の開示
本発明によれば、溶媒中に固体の溶液を形成する方法が提供され、その方法は、（１）（ａ）液体、（ｂ）上記液体中に粉末の形で分散している上記固体、および（ｃ）上記液体中に溶解している高分子バインダー、を含む分散液を形成すること、並びに（２）上記分散液を、上記粉末が上記溶媒中に溶解するような条件下で、上記溶媒と混合すること、を包含している。
上記液体は、揮発性の液体であることが多く、このような液体をベースとする分散液は乾固しやすい。その液体は、低粘度、例えば約10mPa・s（10センチポアズ）までのものであることが多い。液体の混合物を使用してもよい。多くの用途に対して、その液体は水を大部分含むか、または水から本質的になっていてもよく、このような場合、上記高分子バインダーは水溶性ポリマーである。本発明における使用に好適な水溶性高分子バインダーは、当該分野において多数知られている。それらの例は、セルロースエーテル、例えばカルボキシメチルセルロースおよびアルキルセルロース、線状多糖類、例えばアルギン酸ナトリウム、キサンタンガムおよびグアールガム、ゼラチン、ポリ（ビニルアルコール）、ポリ（アクリルアミド）およびアクリル酸系ポリマーを包含する。その高分子バインダーは、皮膜形成ポリマーであってもよい。
上記液体は、上記溶媒と同一の物質または物質の混合物であってもよい。このような場合には、本発明の方法の段階（２）において、追加の溶媒が必要とされるということが理解されるであろう。このような場合には、その分散液が、溶解している固体および分散している粉末を含んでいるということが理解されるであろう。このような分散液は、さらなる溶媒で容易に希釈され、正確な濃度がわかる溶液を形成することができる。
上記液体に比較的可溶性の固体、および、その分散液の取り扱いにおいて経験する温度範囲を通して、その液体中での溶解度における著しい変化を示す固体の、両方の分散液は、貯蔵時に沈降しがちであることがある。このことは、その固体の、その液体中での部分溶解と、その液体からの再結晶とに帰することができる。その液体中でのその固体の溶解度は、好ましくは50グラム毎リットル未満、より好ましくは５グラム毎リットル未満である。標準の取り扱いの間にその分散液が経験する温度範囲を通しての、その液体中での、その固体の最大溶解度および最小溶解度の間の差は、２グラム毎リットル未満であるのが好ましい。
本発明の方法は、上記固体が上記溶媒中で比較的低い溶解度を有するものである場合に、特に有用なものとなることができる。本発明の方法は、循環工程液中に溶解している固体の濃度を特定の値に制御することが望まれる際に、都合よく使用することができる。
本発明の方法において使用される分散液は、既知のタイプの添加剤、例えば湿潤剤（その分散液の配合を助けるのに役立つ）および／または分散剤（上記粉末を分散液に維持するのに役立つ）および／または消泡剤をさらに含んでいてもよい。あらゆる個々の分散液に好適な湿潤剤、分散剤、および消泡剤は、試行錯誤により容易に選ぶことができる。（使用する場合には、）その分散液における分散剤の割合は0.1〜５質量パーセントの範囲にあることが多い。一般に、（使用する場合には、）ほんの微量の消泡剤しか必要とされず、その分散液において0.005〜0.025質量パーセント（50〜250ppm）の範囲にあることが多い。ＴＡＨＴの水性分散液の場合、好適な分散剤の例は、低発泡アニオン界面活性剤、例えば置換ナフタレンスルホン酸ナトリウム系のものを包含する。リン酸塩含有のアルコール・エトキシレートもまた有効な分散剤であるけれども、一般に、それらは発泡傾向が強く、従って、あまり好ましいとされないことがある。この用途において、一般に、あまり満足なものではないということが見出されている材料の例は、リン酸塩含有のアルコールおよびアンモニウムおよびポリアクリル酸ナトリウムを包含する。好適な消泡剤の例は、非イオン系シリコーン消泡剤を包含する。
本発明の方法において使用される分散液における粉末の濃度は、都合よく、その特定の粉末の分散液について知られているものとすることができる。その分散液における粉末の濃度は、その粉末の性状およびそれの取り扱いにおいて使用されるべき装備のような要因に依存して、幅広い範囲にわたって変えることができるということは容易に理解されるであろう。その分散液におけるその固体の割合は、20〜60質量パーセントの範囲にあることが多い。
上記粉末における粒子の数平均粒径は、一般に750μｍ未満であり、100μｍ未満であることが多く、通常は0.1μｍよりも大きい。それらの粒子の数平均粒径は、都合よく、10〜400μｍの範囲とすることができる。本発明の方法は、回転楕円体、フレーク、および針を包含する、低アスペクト比および特に高アスペクト比（２：１〜100：１、概して10：１〜100：１の範囲にある最小直径に対する最大直径の比）の両方の粒子に適用することができる。
上記粉末は反応性物質であることが多い。本発明において使用することができる粉末の例は、さまざまなタイプの繊維助剤を包含する。このような繊維助剤は、それらが適用される生地と反応することができる化学薬品を包含する。このような反応性繊維助剤は、循環浴において溶液から生地に適用するのが好都合であることが多く、本発明の方法は、このような溶液の製造に特に適している。米国特許出願第53110424号（その内容は参考文献として本明細書中に組み込まれる）において説明されているように、このような繊維助剤には、リヨセル（lyocell）繊維と反応して、このような繊維のフィブリル化に対する耐性を高めることができるものもある。このような繊維助剤の特定の例は、1,3,5-トリアクリロイルヘキサヒドロ-1,3,5-トリアジン（ＴＡＨＴ）であり、その使用は、公開された国際特許出願第WO-A-94/09191号および第WO-A-95/28516号、並びに国際特許出願第PCT/GB/00609号（公開日1996年9月19日）（それらの内容は参考文献として本明細書中に組み込まれる）において、説明されている。
本発明の方法は、第三級アミン-N-オキシド水溶液、例えばN-メチルモルホリン-N-オキシド水溶液におけるセルロース溶液の分野においても用途が見出される。例えば米国特許出願第5,413,631号（その内容は参考文献として本明細書中に組み込まれる）において説明されているように、このような溶液は、アミンオキシドおよび水におけるセルロースのスラリーから水を蒸発させることにより、調製することができる。例えば、欧州特許出願第0,047,929号において説明されているように、このような溶液中に、少量の、１種またはそれ以上の熱安定剤を包含させることが知られている。好適な安定剤は、ポリフェノール、例えば没食子酸およびそのエステル（没食子酸プロピルを包含している）を包含する。その溶液における安定剤の濃度は、一般に0.01〜0.5質量パーセントの範囲にある。本発明によれば、20〜60質量パーセントの安定剤（部分的には溶液中にあり、部分的には粉末として分散している）、40〜80質量パーセントの水、および0.01〜３質量パーセントの水溶性中性セルロースエーテルのような高分子バインダー、例えばメチルセルロースまたはヒドロキシプロピルメチルセルロースを含む分散液をセルロースのスラリーまたは溶液に添加することにより、速度を制御しながら、セルロースのスラリーまたは溶液中に、その安定剤を都合よく導入し、溶解することができる。
上記粉末が反応性物質である際には、上記分散液または溶液における上記粉末と上記高分子バインダーとの間の反応は望ましくないことが多いということが理解されるであろうから、上記高分子バインダーの選択には注意を払うべきである。
本発明の方法において使用される分散液における高分子バインダーの最低濃度は、その分散液が乾燥された際に、その高分子バインダーにより、上記粉末のすべてが保持されるようなものであるのが望ましい。この濃度が、その粉末の性状およびその分散液におけるその濃度に依存するということは容易に理解されるであろう。一般に、本発明の恩恵に浴するために、この最少量よりもかなり高濃度の高分子バインダーを使用する必要は無く、一般に、より高濃度の高分子バインダーの使用は、結果として加工費の増大につながるであろうということは容易に理解されるであろう。さらに、高分子バインダーのこの望ましい最低濃度は、あらゆる個々の場合において、試行錯誤により容易に決定することができるということが理解されるであろう。その分散液における高分子バインダーの濃度が、0.1〜5.0質量パーセント、場合によっては0.5〜2.0質量パーセントの範囲にあるのが適切であると見出されることが多い。一般に、その高分子バインダーは、その分散液のための粘度調整剤として役立ち、それにより、貯蔵時に、その固体を懸濁液に維持するのを助けるという追加の利点を有している。高分子バインダーの混合物を使用してもよい。本発明の好ましい態様において、その高分子バインダーは、大部分（概して80〜99.9質量パーセント、好ましくは90〜99.5質量パーセント）の皮膜形成ポリマーと、少量（概して0.1〜20質量パーセント、好ましくは0.5〜10質量パーセント）の、分散される固体に対する良好な懸濁特性を有するポリマーとを含み、本発明は、バインダーとして、このようなポリマーの混合物を含んでいる分散液を提供する。その溶媒が水性液体である水性の系の場合は、好適な皮膜形成ポリマーの例は、水溶性セルロースエーテル、特に、中性セルロースエーテル、例えばメチルセルロースおよびヒドロキシプロピルメチルセルロースを包含し、並びに良好な懸濁特性を有するポリマーの例は、天然多糖類ガム、例えばキサンタンガム、グアールガム、およびイナゴマメガムを包含する。セルロースエーテルは、幅広い範囲にわたる、制御された溶液粘度を有するものを、商業的に入手することができる。例えば周囲温度において低剪断条件下で測定した２％溶液の粘度が１〜20mPa・sの範囲にある低粘度セルロースエーテルが好ましいとされることがある。良好な懸濁特性を有するポリマーは、周囲温度において低剪断条件下で測定した１％溶液の粘度が1,000〜10,000mPa・sの範囲にある。（水溶性ポリマーの粘度は、市販において、一般に、このような様式で表示されるということが認められるであろう。）ガム、例えばキサンタンガムの溶液の粘度は、非常に低濃度においてさえ、濃度の上昇に伴って、急激に上昇しがちであり、このようなガムを単独で使用する場合の粘度制御を困難にしている。従って、この態様は、良好な懸濁特性、良好な皮膜形成特性、および容易な分散液の粘度制御の組み合わせを与える。
本発明の方法において使用される分散液が乾固した場合は、遊離粉末の取り扱いに伴うあらゆる危険を最小化しつつ、粉末および高分子バインダーの乾燥した混合物を容易に収集して、廃棄または回収することができる。その乾固した混合物は、その高分子バインダーおよび存在するその他の物質の性状に依存して、だいたいは硬質固体またはペースト状固体の形をとることができる。
本発明の方法は、粉末の形で取り扱われる際に、１種またはそれ以上の危険な特性を示す固体の取り扱いに特に適している。このような危険な特性の例は、動植物に対する急性または慢性特性、易燃性（可燃性）、および爆発性を包含する。
本発明は、以下の実施例により説明され、そこにおける部および割合は、特に明記しない限り、質量法による。
実施例１
セロゲンＨＲ（Sellogen HR）（Henkel KGaAの商標）（界面活性剤、ビス（1-メチルエチル）ナフタレンスルホン酸ナトリウム）（１部）を水（53部）に溶解した。粉末の形の1,3,5-トリアクリロイルヘキサヒドロ-1,3,5-トリアジン（ＴＡＨＴ）（45部）を、その溶液に添加し、高剪断ミキサーを使用して、その混合物を約５分間にわたって攪拌した。次に、あらゆる泡を消すように、静かに攪拌しながら、ＲＤアンチフォームエマルション（RD Antifoam Emulsion）（Dow Corning Corp. の商標）（非イオン・シリコーン消泡剤）（0.005部）を添加した。次に、その混合物を、その中に渦が形成されるような条件下で、高剪断ミキサーで攪拌した。コーゲルＴ１２２５（Courgel T1225）（Courtaulds Chemicals（Holdings）Limitedの商標）（周囲温度において低剪断条件下で測定した場合に公称で５〜６mPa・sの２％溶液の粘度を有するヒドロキシプロピルメチルセルロース99部と、キサンタンガム１部とからなっている、水溶性高分子バインダーのブレンド）（１部）を、その渦の最も外側の縁にゆっくりと添加した。添加完了後、その混合物を、高分子バインダーが完全に溶解するまで、約20分にわたって静かに攪拌した。それから、得られた分散液を水で希釈して、リヨセル繊維への適用に好適なＴＡＨＴを含んでいる水溶液を得ることができた。その分散液は、良好な貯蔵安定性（耐沈降性）を示した。その分散液の試料を乾固させると、比較的無塵の固体が生成した。対照的に、高分子バインダーをまったく含んでいないＴＡＨＴの水中分散液（本発明に準じたものではない）を乾固させると、微細な粉塵が形成される。
実施例２
高剪断ミキサーで攪拌しながら、1.5部のコーゲルＴ１２２５を65〜75℃の水52.5部に添加した。その混合物を放冷すると、その結果、そのコーゲルＴ１２２５（熱水には僅かしか溶けない）は溶解した。その放冷した混合物に、攪拌しながら、ＴＡＨＴ（46部）を添加し、次いで、微量のシリコーン消泡剤を添加した。得られた分散液を水で希釈して、ＴＡＨＴ溶液を得ることができた。
実施例３
高剪断混合しながら上記コーゲルＴ１２２５を14.5部の熱水に添加し、得られた分散液を35部の冷水で速やかに希釈し、それから、上記高分子バインダーが溶解するまで攪拌し、その混合物を冷却したことを除いては、実施例２を繰り返した。